(57)【要約】【課題】製造コストの高騰や装置の大型化を招くことなく、接触子に設けた操作スイッチの操作による遠隔操作、および外部制御装置からの遠隔操作のいずれかを選択的に実行可能とする。【解決手段】テストリード６ａ，６ｂを介して測定対象についての電気的パラメータを測定する測定処理を実行する測定部１３を備え、テストリード６ｂに配設されたホールドスイッチ３３の操作時に出力される操作信号を測定装置１に入力するための遠隔操作用信号ケーブル３７と、パーソナルコンピュータ２から出力された制御信号を測定装置１に入力するための遠隔操作用信号ケーブル３とのいずれか１つを選択的に接続可能なケーブル接続部１２を備えると共に、操作信号が入力されたときに入力された操作信号に対応付けられている処理を実行し、かつ制御信号が入力されたときに入力された制御信号に対応付けられている処理を実行する制御部１６とを備えて構成されている。【選択図】図１
2013096886.tif 000002
【特許請求の範囲】
【請求項１】
一対の接触子を介して測定対象についての電気的パラメータを測定する測定処理を実行する測定部を備えた測定装置であって、
前記一対の接触子の一方に配設された操作スイッチの操作時に出力される操作信号を当該測定装置に入力するための第１の接続ケーブルと、外部制御装置から出力された制御信号を当該測定装置に入力するための第２の接続ケーブルとのいずれか１つを選択的に接続可能なケーブル接続部を備えると共に、前記操作信号が入力されたときに当該入力された操作信号に対応付けられている処理を実行し、かつ前記制御信号が入力されたときに当該入力された制御信号に対応付けられている処理を実行する制御部とを備えて構成されている測定装置。
【請求項２】
前記ケーブル接続部は、前記操作信号としての第１の光信号、および前記制御信号としての第２の光信号を受光して電気信号に変換して前記制御部に出力する受光部を備えて構成されている請求項１記載の測定装置。
【発明の詳細な説明】
【技術分野】
【０００１】
本発明は、一対の接触子を介して測定対象についての電気的パラメータを測定可能に構成された測定装置に関するものである。
【背景技術】
【０００２】
この種の測定装置として、一対の測定用プローブ（以下、単に「プローブ」ともいう）を使用して、電圧、電流および抵抗等を測定可能に構成されたディジタルマルチメータ（以下、単に「マルチメータ」ともいう）が実開昭６３−１０４６１号公報に開示されている。この場合、このマルチメータは、測定結果を表示する表示器、および測定結果を音声で報知するスピーカを備えて構成されている。また、このマルチメータは、上記のスピーカを駆動する回路（以下、「スピーカ駆動回路」ともいう）をオン・オフ制御するためのリモートスイッチ装置（以下、単に「スイッチ装置」ともいう）を接続可能に構成されている。この場合、スイッチ装置は、上記の両プローブのいずれか一方に本体部を取り付けると共に、マルチメータに設けられている「スイッチ装置接続用の端子」に信号ケーブルを接続することで、両プローブを手にしたままスイッチ操作を行って、スピーカ駆動回路をオン・オフ制御できるように構成されている。
【先行技術文献】
【特許文献】
【０００３】
【特許文献１】実開昭６３−１０４６１号公報（第３−６頁、第１図）
【発明の概要】
【発明が解決しようとする課題】
【０００４】
ところが、従来のマルチメータには、以下の問題点が存在する。すなわち、従来のマルチメータでは、「スイッチ装置接続用の端子」にスイッチ装置を接続することで、両プローブを手にしたまま、スピーカ駆動回路をオン・オフ制御できるように構成されている。一方、測定装置を遠隔操作するための構成としては、接触子（テストリード）に操作スイッチを設けた上記のマルチメータのような構成だけでなく、パーソナルコンピュータ等の外部制御装置からの制御コマンドに従って各種の処理を実行する構成が挙げられる。具体的には、一例として、特開平７−３０６０６５号公報には、ＳＣＳＩケーブルやＬＡＮケーブルを介して測定装置とパソコンとを相互に接続すると共に、パソコン上において、測定条件の設定、パラメータの付与、測定開始の指示、およびデータ収集等の操作を行うことで、測定装置に各種の処理を実行させる構成の測定装置システムが開示されている。
【０００５】
この場合、従来のマルチメータの構成に、上記の測定装置システムにおける測定装置の構成を付加することで、接触子（テストリード）に設けた操作スイッチの操作による遠隔操作、およびパソコンからの遠隔操作の双方を実行することが可能となる。しかしながら、このような構成を採用する場合には、接触子に設けた操作スイッチ（従来のマルチメータにおけるスイッチ装置）を接続するための接続部、およびパソコンを接続するための接続部（従来の測定装置システムにおける測定装置のＳＣＳＩポート、またはＬＡＮポート）の双方を測定装置に設ける必要が生じる。このため、このような構成を採用した測定装置では、遠隔操作用の２つの接続部を測定装置に設けるのに要する部品コストや組立てコストの分だけ測定装置の製造コストが高騰すると共に、２つの接続部を測定装置に設けたことで大型化を招くという問題が生じる。
【０００６】
本発明は、かかる問題点に鑑みてなされたものであり、製造コストの高騰や装置の大型化を招くことなく、接触子に設けた操作スイッチの操作による遠隔操作、および外部制御装置からの遠隔操作のいずれかを選択的に実行し得る測定装置を提供することを主目的とする。
【課題を解決するための手段】
【０００７】
上記目的を達成すべく請求項１記載の測定装置は、一対の接触子を介して測定対象についての電気的パラメータを測定する測定処理を実行する測定部を備えた測定装置であって、前記一対の接触子の一方に配設された操作スイッチの操作時に出力される操作信号を当該測定装置に入力するための第１の接続ケーブルと、外部制御装置から出力された制御信号を当該測定装置に入力するための第２の接続ケーブルとのいずれか１つを選択的に接続可能なケーブル接続部を備えると共に、前記操作信号が入力されたときに当該入力された操作信号に対応付けられている処理を実行し、かつ前記制御信号が入力されたときに当該入力された制御信号に対応付けられている処理を実行する制御部とを備えて構成されている。
【０００８】
なお、「第１の接続ケーブルと、第２の接続ケーブルとのいずれかを選択的に接続する」とは、「操作信号または制御信号を入力可能な状態に両接続ケーブルのいずれかの一端部を測定装置に装着すること」を意味する。したがって、「接続ケーブルを接続する」との状態には、「接続ケーブルを電気的に接続する」との状態だけでなく、「操作信号」や「制御信号」として「光信号」を測定装置に入力する構成においては、「光信号を受光可能な状態に接続ケーブルの一端部を測定装置に装着する」との状態がこれに含まれる。
【０００９】
また、請求項２記載の測定装置は、請求項１記載の測定装置において、前記ケーブル接続部は、前記操作信号としての第１の光信号、および前記制御信号としての第２の光信号を受光して電気信号に変換して前記制御部に出力する受光部を備えて構成されている。
【発明の効果】
【００１０】
請求項１記載の測定装置によれば、一方の接触子に配設された操作スイッチの操作によって測定装置を遠隔操作するときには、ケーブル接続部に第１の接続ケーブルを接続した状態においてスイッチ操作を行うことで、制御部が、操作信号に対応付けられている処理を実行し、外部制御装置から測定装置を遠隔操作するときには、ケーブル接続部に第２の接続ケーブルを接続した状態において外部制御装置から制御信号を送信することで、制御部が、制御信号に対応付けられている処理を実行することにより、一方の接触子に配設された操作スイッチの操作による遠隔操作用のケーブル接続部、および外部制御装置からの遠隔操作用のケーブル接続部を別個に設ける必要がないため、製造コストの高騰や装置の大型化を招くことなく、操作スイッチの操作による遠隔操作、および外部制御装置からの遠隔操作のいずれかを選択的に実行することができる。
【００１１】
また、請求項２記載の測定装置によれば、ケーブル接続部が、操作信号としての第１の光信号、および制御信号としての第２の光信号を受光して電気信号に変換して制御部に出力することにより、外部制御装置から測定装置を遠隔操作する際に、汎用の光通信ケーブルを使用して第２の光信号（制御信号）を測定装置に入力することができるため、外部制御装置から測定装置を遠隔操作するのに要するコストを十分に低減することができる。
【図面の簡単な説明】
【００１２】
【図１】測定装置１の構成を示すブロック図である。
【図２】遠隔操作用信号ケーブル３（３７）における嵌入用部材３ａ（３７ａ）の外観斜視図である。
【図３】測定装置本体５におけるケーブル接続部１２の外観斜視図である。
【発明を実施するための形態】
【００１３】
以下、測定装置の実施の形態について、添付図面を参照して説明する。
【００１４】
図１に示す測定装置１は、測定対象についての電流値、電圧値および抵抗値などの各種電気的パラメータを測定可能に構成された装置であって、後述するように、測定装置本体５に設けられた操作部１４の操作による各種処理の実行に加えて、テストリード６ｂに設けられた操作スイッチの操作による遠隔操作、およびパーソナルコンピュータ２からの遠隔操作のいずれかを選択的に実行できるように構成されている。
【００１５】
この場合、パーソナルコンピュータ２は、「外部制御装置」に相当し、一例として、ＵＳＢ接続端子に接続した遠隔操作用信号ケーブル（第２の接続ケーブル）３を介して測定装置１（測定装置本体５）を遠隔操作できるように、遠隔操作用の制御プログラムがインストールされている。なお、「外部制御装置」としては、上記の例にように汎用のパーソナルコンピュータ２に制御プログラムをインストールしたものに限定されず、測定装置１を遠隔操作するための専用の制御装置（図示せず）を利用することもできる。また、遠隔操作用信号ケーブル３における測定装置本体５に対する接続側端部には、パーソナルコンピュータ２の制御下で点滅させられることで、一例として、ＩｒＤＡ規格に準ずる赤外線通信を行うための光信号Ｌ２（「第２の光信号」の一例）を出射するＬＥＤ３ｂが配設されている。
【００１６】
一方、測定装置１は、測定装置本体５およびテストリード６ａ，６ｂを備えて構成されている。測定装置本体５は、ケーブル接続部１１ａ，１１ｂ，１２、測定部１３、操作部１４、表示部１５、制御部１６および記憶部１７を備えて構成されている。ケーブル接続部１１ａは、テストリード６ａを接続するためのバナナジャックを備えて構成され、ケーブル接続部１１ｂは、テストリード６ｂを接続するためのバナナジャックを備えて構成されされている。ケーブル接続部１２は、「ケーブル接続部」の一例であって、後述するように、テストリード６ｂからの操作信号を入力するための遠隔操作用信号ケーブル（第１の接続ケーブル）３７、およびパーソナルコンピュータ２からの制御信号を入力するための遠隔操作用信号ケーブル３のいずれかを選択的に接続することができるように構成されている。
【００１７】
測定部１３は、制御部１６の制御に従い、ケーブル接続部１１ａ，１１ｂに接続されたテストリード６ａ，６ｂを介して測定対象についての電気的パラメータを測定し、その測定結果を制御部１６に出力する。操作部１４は、測定モードを切り替える切替えスイッチや、測定レンジを切り替える切り替えスイッチなどの各種操作スイッチを備え（図示せず）、スイッチ操作に応じた操作信号を制御部１６に出力する。表示部１５は、制御部１６の制御に従い、測定部１３による測定処理の結果（測定結果）を表示する。
【００１８】
制御部１６は、測定装置１を総括的に制御する。具体的には、制御部１６は、測定部１３を制御して、各種の測定処理を実行させると共に、測定部１３から出力された測定結果に基づき、測定値を表示部１５に表示させる。また、制御部１６は、後述するように、テストリード６ｂからの操作信号Ｓ１に応じて、操作信号Ｓ１に対応付けられている処理（一例として、表示部１５に表示させた測定値を表示替えすることなく表示し続ける「測定値ホールド処理」）を実行すると共に、パーソナルコンピュータ２からの制御信号Ｓ２に応じて制御信号Ｓ２に対応付けられている各種の処理（「電流値測定処理」、「電圧値測定処理」および「抵抗値測定処理」など）を実行する。記憶部１７は、制御部１６の動作プログラムや、制御部１６の演算結果を一時的に記憶する。
【００１９】
また、テストリード６ａ，６ｂは、「一対の接触子」に相当し、テストリード６ａには、測定用信号ケーブル２２を介して測定装置本体５に接続される接触子本体２１が設けられると共に、テストリード６ｂには、測定用信号ケーブル３２を介して測定装置本体５に接続される接触子本体３１が設けられている。また、テストリード６ｂには、ホールドスイッチ３３、ＬＥＤ点灯スイッチ３４、ＬＥＤ点灯回路３５、ＬＥＤ３６、および図示しないバッテリ（一例として、ボタン型の一次電池）が配設されると共に、ＬＥＤ点灯回路３５には、遠隔操作用信号ケーブル３７を介してＬＥＤ３７ｂが接続されている。ホールドスイッチ３３は、「一対の接触子の一方に配設された操作スイッチ」の一例であって、本例では、制御部１６に対して上記の「測定値ホールド処理」を実行させる機能が割り当てられて、テストリード６ｂを持ったままで操作することができるように配置されている。ＬＥＤ点灯スイッチ３４は、ＬＥＤ３６を点灯させる機能が割り当てられたスイッチであって、テストリード６ｂを持ったままで操作することができるように配置されている。
【００２０】
ＬＥＤ点灯回路３５は、ホールドスイッチ３３やＬＥＤ点灯スイッチ３４のスイッチ操作に応じてＬＥＤ３６，３７ｂの点灯を制御する回路であって、本例では、ホールドスイッチ３３が操作されたときにＬＥＤ３７ｂを予め規定された一定の周期で点滅させ、ＬＥＤ点灯スイッチ３４が操作されたときに、ＬＥＤ３６を点灯させるように構成されている。ＬＥＤ３６は、接触子本体２１，３１を接触させる部位を照明するための光源であって、ＬＥＤ点灯回路３５の制御下で点灯させられることで照明光を出射する。ＬＥＤ３７ｂは、上記したように遠隔操作用信号ケーブル３７を介してＬＥＤ点灯回路３５に接続されて、ＬＥＤ点灯回路３５の制御下で一定の周期で点滅させられることで、「第１の光信号」の一例である光信号Ｌ１を出射する。
【００２１】
この場合、図２に示すように、上記の遠隔操作用信号ケーブル３，３７における測定装置本体５に対する接続側端部には、測定装置本体５のケーブル接続部１２に設けられた嵌入用溝部１２ａ（図３参照）に嵌入可能な嵌入用部材３ａ，３７ａがそれぞれ設けられている。また、嵌入用部材３ａには、前述した光信号Ｌ２を出射するＬＥＤ３ｂが埋設され、嵌入用部材３７ａには、前述した光信号Ｌ１を出射するＬＥＤ３７ｂが埋設されている。一方、図３に示すように、測定装置本体５のケーブル接続部１２は、嵌入用部材３ａ，３７ａのいずれかを選択的に嵌入可能な嵌入用溝部１２ａが形成されると共に、この嵌入用溝部１２ａに嵌入した状態の嵌入用部材３ａ，３７ａにおけるＬＥＤ３ｂ，３７ｂと対向する位置に、光信号Ｌ１や光信号Ｌ２を受光する受光素子１２ｂ（「受光部」の一例）が埋設されている。
【００２２】
この測定装置１を単独で使用して電気的パラメータの測定を行うときには、テストリード６ａの測定用信号ケーブル２２をケーブル接続部１１ａに接続し、かつテストリード６ｂの測定用信号ケーブル３２をケーブル接続部１１ｂに接続すると共に、テストリード６ｂの遠隔操作用信号ケーブル３７をケーブル接続部１２に接続する。この際に、遠隔操作用信号ケーブル３７の嵌入用部材３７ａをケーブル接続部１２の嵌入用溝部１２ａに嵌入することで、ＬＥＤ３７ｂと受光素子１２ｂとが対向して、ＬＥＤ３７ｂからの光信号Ｌ１を受光素子１２ｂによって受光することができる状態となる。次いで、所望の測定条件で測定処理を実行するように操作部１４を操作する。
【００２３】
続いて、テストリード６ａ，６ｂを手に持って接触子本体２１，３１を測定対象にそれぞれ接触させる。この際に、接触子本体２１，３１を接触させるべき部位が暗いことに起因して、接触子本体２１，３１を接触させるべき部位を特定するのが困難なときには、テストリード６ｂに設けられているＬＥＤ３６を点灯させることで、測定対象を照明する。具体的には、テストリード６ｂのＬＥＤ点灯スイッチ３４が操作されたときに、ＬＥＤ点灯回路３５がＬＥＤ３６を点灯させる。したがって、ＬＥＤ３６からの照明光によって、まず、接触子本体２１（テストリード６ａ）を接触させるべき部位を特定して、特定した部位に接触子本体２１を接触させ、次いで、ＬＥＤ３６を点灯させた状態を維持しつつ、接触子本体３１（テストリード６ｂ）を接触させるべき部位を特定して、特定した部位に接触子本体３１を接触させる。これにより、接触子本体２１，３１を確実かつ安全に所望の部位に接触させることができる。
【００２４】
また、接触子本体２１，３１を測定対象に接触させた際には、測定部１３が接触子本体２１，３１を介して測定対象についての電気的パラメータ（例えば、電流値）を測定して制御部１６に出力する。この際に、制御部１６は、測定部１３から出力された測定結果に基づき、その測定値を表示部１５に表示させる。これにより、測定対象についての測定値が表示部１５に逐次表示される。
【００２５】
この場合、この測定装置１では、テストリード６ｂのホールドスイッチ３３を操作することで、表示部１５に表示されている測定値を表示替えさせずに、ホールドスイッチ３３の操作時点において表示部１５に表示されている測定値を継続的に表示させることができるように構成されている（前述した「測定値ホールド処理」の実行）。具体的には、ホールドスイッチ３３が操作されたときに、ＬＥＤ点灯回路３５は、ＬＥＤ３７ｂを予め規定された一定の周期で点滅させる。これにより、ＬＥＤ３７ｂから光信号Ｌ１が出射される。なお、本例の測定装置１では、一例として、ホールドスイッチ３３を押圧している間、ＬＥＤ３７ｂから光信号Ｌ１が継続的に出射され、ホールドスイッチ３３の押圧を終了することで、ＬＥＤ３７ｂからの光信号Ｌ１の出射が停止する構成が採用されている。
【００２６】
また、測定装置本体５では、ケーブル接続部１２の受光素子１２ｂがテストリード６ｂ（ＬＥＤ３７ｂ）からの光信号Ｌ１を受光して電気信号に変換し、操作信号Ｓ１として制御部１６に出力する。この際に、制御部１６は、操作信号Ｓ１に対応付けられている「測定値ホールド処理」を実行し、操作信号Ｓ１が入力された時点において表示部１５に表示させていた測定値を継続的に表示させた状態を維持する。これにより、測定対象において測定すべき電気的パラメータが小刻みに変動している状態、およびテストリード６ａ，６ｂを外して測定を終了した状態においても、ホールドされた測定値の表示を確実かつ容易に認識させることができる。また、制御部１６は、操作信号Ｓ１の入力が停止したときに「測定値ホールド処理」を終了し、測定部１３から出力された測定結果に基づく測定値を表示部１５に逐次表示させる。
【００２７】
一方、この測定装置１では、パーソナルコンピュータ２から測定装置１を遠隔操作して電気的パラメータの測定処理を実行させることができるように構成されている。具体的には、まず、ケーブル接続部１２の嵌入用溝部１２ａから遠隔操作用信号ケーブル３７の嵌入用部材３７ａを取り外して、パーソナルコンピュータ２に接続された遠隔操作用信号ケーブル３の嵌入用部材３ａを嵌入用溝部１２ａに嵌入する。この際には、遠隔操作用信号ケーブル３のＬＥＤ３ｂと受光素子１２ｂとが対向して、ＬＥＤ３ｂからの光信号Ｌ２を受光素子１２ｂによって受光することができる状態となる。次いで、パーソナルコンピュータ２を操作して、パーソナルコンピュータ２から測定装置１（測定装置本体５）に所望の制御信号Ｓ２（例えば、電流値の測定処理を開始する制御コマンド）を送信する。
【００２８】
この際に、パーソナルコンピュータ２は、送信を指示された制御信号Ｓ２の内容に応じて、ＬＥＤ３ｂを点滅させる。これにより、ＩｒＤＡ規格に準じた光信号Ｌ２がＬＥＤ３ｂから出射される。また、測定装置本体５では、ケーブル接続部１２の受光素子１２ｂがパーソナルコンピュータ２（ＬＥＤ３ｂ）からの光信号Ｌ２を受光して電気信号に変換し、制御信号Ｓ２として制御部１６に出力する。この際に、制御部１６は、制御信号Ｓ２に対応付けられている処理（この例では、「電流値の測定処理の開始」）を実行し、測定部１３を制御して、測定対象についての電流値を測定させる。また、制御部１６は、測定部１３から出力された測定結果に基づき、その測定値を表示部１５に表示させる。これにより、測定対象についての測定値が表示部１５に逐次表示される。
【００２９】
また、測定装置１による測定処理を終了させるときには、パーソナルコンピュータ２を操作して、パーソナルコンピュータ２から測定装置１（測定装置本体５）に所望の制御信号Ｓ２（この例では、電流値の測定処理を終了させる制御コマンド）を送信する。この際に、パーソナルコンピュータ２は、送信を指示された制御信号Ｓ２の内容に応じて、ＬＥＤ３ｂを点滅させる。これにより、ＩｒＤＡ規格に準じた光信号Ｌ２がＬＥＤ３ｂから出射される。また、測定装置本体５では、ケーブル接続部１２の受光素子１２ｂがパーソナルコンピュータ２（ＬＥＤ３ｂ）からの光信号Ｌ２を受光して電気信号に変換し、制御信号Ｓ２として制御部１６に出力する。この際に、制御部１６は、制御信号Ｓ２に対応付けられている処理（この例では、「電流値の測定処理の終了」）を実行し、測定部１３を制御して、測定対象についての電流値を測定処理を終了させる。以上により、パーソナルコンピュータ２からの測定装置１の遠隔操作が完了する。
【００３０】
このように、この測定装置１によれば、テストリード６ｂに配設されたホールドスイッチ３３の操作によって測定装置１を遠隔操作するときには、ケーブル接続部１２に遠隔操作用信号ケーブル３７を接続した状態においてスイッチ操作を行うことで、制御部１６が、操作信号Ｓ１に対応付けられている処理（この例では、表示部１５に表示させている測定結果のホールド）を実行し、パーソナルコンピュータ２から測定装置１を遠隔操作するときには、ケーブル接続部１２に遠隔操作用信号ケーブル３を接続した状態においてパーソナルコンピュータ２から制御信号Ｓ２を送信することで、制御部１６が、制御信号Ｓ２に対応付けられている処理を実行することにより、ホールドスイッチ３３の操作による遠隔操作用の「ケーブル接続部」、およびパーソナルコンピュータ２からの遠隔操作用の「ケーブル接続部」を別個に設ける必要がないため、製造コストの高騰や装置の大型化を招くことなく、ホールドスイッチ３３の操作による遠隔操作、およびパーソナルコンピュータ２からの遠隔操作のいずれかを選択的に実行することができる。
【００３１】
また、この測定装置１によれば、ケーブル接続部１２の受光素子１２ｂが、「操作信号」としての光信号Ｌ１、および「制御信号」としての光信号Ｌ２を受光して電気信号に変換して制御部１６に出力することにより、パーソナルコンピュータ２から測定装置１を遠隔操作する際に、汎用の光通信ケーブル（本例では、赤外線通信ケーブルの一例である「遠隔操作用信号ケーブル３」）を使用して光信号Ｌ２（制御信号Ｓ２）を測定装置１に入力することができるため、パーソナルコンピュータ２から測定装置１を遠隔操作するのに要するコストを十分に低減することができる。
【００３２】
なお、「測定装置」の構成は、上記の測定装置１の例に限定されない。例えば、測定装置本体５を遠隔操作するためのホールドスイッチ３３を接触子本体３１等と一体的に設けた構成のテストリード６ｂを使用する例について説明したが、「一対の接触子」として、同一構成のテストリード６ａ，６ａを一対用意すると共に、ホールドスイッチ３３、ＬＥＤ点灯スイッチ３４、ＬＥＤ点灯回路３５、ＬＥＤ３６、遠隔操作用信号ケーブル３７およびＬＥＤ３７ｂを両テストリード６ａ，６ａとは別体にパッケージングした遠隔操作ユニット（図示せず）を両テストリード６ａ，６ａのいずれか一方に装着して、測定装置本体５を遠隔操作する構成を採用することもできる。このような構成を採用した場合においても、上記のテストリード６ｂを使用する測定装置１と同様の効果を奏することができる。また、光信号Ｌ１，Ｌ２に代えて、操作信号Ｓ１や制御信号Ｓ２（電気的信号）を測定装置本体５に送信する構成を採用することもできる。
【符号の説明】
【００３３】
１  測定装置
２  パーソナルコンピュータ
３，３７  遠隔操作用信号ケーブル
３ａ，３７ａ  嵌入用部材
３ｂ，３７ｂ  ＬＥＤ
５  測定装置本体
６ａ，６ｂ  テストリード
１１ａ，１１ｂ，１２  ケーブル接続部
１２ａ  嵌入用溝部
１２ｂ  受光素子
１３  測定部
１４  操作部
１５  表示部
１６  制御部
１７  記憶部
２１，３１  接触子本体
２２，３２  測定用信号ケーブル
３３  ホールドスイッチ
３５  ＬＥＤ点灯回路
Ｌ１，Ｌ２  光信号
Ｓ１  操作信号
Ｓ２  制御信号
【図１】
2013096886.tif 000003
【図２】
2013096886.tif 000004
【図３】
2013096886.tif 000005